(57)【特許請求の範囲】
【請求項１】
小根太を除去した温水マットの裏面全体に遮音シートを貼り合わせると共に、この遮音シートの表面の要所に、裏型紙付の速乾性接着剤層をあらかじめ形成し、施工現場において、下地の表面に通常の接着剤を塗布し、次に前記裏型紙を剥がしてから温水マットを下地面に貼り付けることにより、速乾性接着剤により先ず温水マットを下地の表面に仮固定し、続いて通常の接着剤の硬化を待って下地の表面に接着剤のみで温水マットを固定し、続いて上記温水マットの上面に通常の接着剤を用いてフローリング床材を貼り付けて仕上げる床暖房装置の施工法。
【請求項２】
小根太を除去した温水マットの裏面全体に遮音シートを貼り合わせると共に、この遮音シートの表面の要所に、あらかじめマスキングテープを貼りつけておき、施工現場において、前記温水マットの裏面全体に通常の接着剤を塗布し、次に前記マスキングテープを剥がしてここに速乾性接着剤を塗布してから温水マットを下地面に貼り付けることにより、速乾性接着剤により先ず温水マットを下地の表面に仮固定し、続いて通常の接着の硬化を待って下地の表面に接着のみで温水マットを固定し、続いて上記温水マットの上面に通常の接着剤を用いてフローリング床材を貼り付けて仕上げる床暖房装置の施工法。
【請求項３】
小根太を除去した温水マットの裏面全体に遮音シートを貼り合わせると共に、この遮音シートの表面の要所に、裏型紙付の速乾性接着剤層を形成して成る床暖房用温水マット。
【請求項４】
小根太を除去した温水マットの裏面全体に遮音シートを貼り合わせると共に、この遮音シートの表面の要所に、マスキングテープを貼り付けて成る床暖房用温水マット。
【発明の詳細な説明】
【０００１】
【発明の属する技術分野】
本発明は、温水配管を行った所謂温水マットをフローリング床の下に敷設して行う床暖房装置の施工法とこの施工法に使用される床暖房用温水マットに関する。
【０００２】
【従来の技術】
従来の床暖房用温水マットには、４５ｍｍ程度の幅の合板から成る小根太と称される根太材がマットの上下辺から一定の間隔で交互に一定のところまで挿入されており、この小根太の部分に釘を打ち込んで温水マットを下地に固定すると共に、温水マット上に敷設されるフローリング床材も、同じく釘を用いて小根太に固定するという施工法がとられている。
このように、下地の上に温水マットを敷設し、この温水マットの上にフローリング床材を敷設して釘で固定した場合、下地とフローリング床材が小根太を介して連結されてしまうことから、フローリング床材上での足音などの騒音が、小根太及び下地を経由して階下に伝播するという欠点がある。そこで、特に集合住宅の場合には、防音対策に種々の工夫がなされている。
図６は従来の温水マットの平面図であって、１は温水配管２を表面に埋め込んで成る温水マット、３はこの温水マット１内に、上下辺から一定の間隔で交互に一定のところまで挿入された小根太、４は温水ヘッダー、５は温水往き管、６は温水戻り管である。この温水マット１には、また図７に示すように、下面に防音対策としての遮音シート７が小根太３の部分を除いて貼り合わせてあり、この温水マット１を施工する場合には、先ず下地８の表面に対して恒常的な固定を目的とする接着剤を塗布し、この接着剤が硬化するまでの間に、温水マット１の巻きぐせや下地表面の凹凸に影響されないように、温水マット１の小根太３部分を釘９で下地８に仮固定し、更にこの温水マット１上には遮音機能付のフローリング床材１０を敷設すると共に、ビス１２を用いて小根太３に固定するという施工法がとられる。図７において、１０ａはフローリング床材１０を構成する表面材、１０ｂは不織布、１０ｃは合板である。
【０００３】
【発明が解決しようとする課題】
このため、次のような問題が発生している。
ａ．小根太３及び施工で使用された釘９、ビス１２によって階上で発生した騒音が階下    へ伝播する経路が形成されてしまい、設計時に期待された遮音性能が減退してしまう    。
ｂ．フローリング床面の踏み感（歩行感）が小根太３のある箇所では硬く、ない箇所で    は柔らかくなるため、違和感が生じる。
ｃ．釘９及びビス１２で温水マット１及びフローリング床材１０を固定する方式のため    、施工性が悪く、間違って温水マット１の温水配管２に釘９を打ち込んでしまうこと    がある。
【０００４】
【課題を解決するための手段】
本発明は、上記ａ〜ｃに記述した課題を解決するのが目的であって、その構成は次のとおりである。
１．小根太を除去した温水マットの裏面全体に遮音シートを貼り合わせると共に、この 遮音シートの表面の要所に、裏型紙付の速乾性接着剤層をあらかじめ形成し、施工現 場において、下地の表面に通常の接着剤を塗布し、次に前記裏型紙を剥がしてから温 水マットを下地面に貼り付けることにより、速乾性接着剤により先ず温水マットを下 地の表面に仮固定し、続いて通常の接着剤の硬化を待って下地の表面に接着剤のみで 温水マットを固定し、続いて上記温水マットの上面に通常の接着剤を用いてフローリ ング床材を貼り付けて仕上げる床暖房装置の施工法。
２．小根太を除去した温水マットの裏面全体に遮音シートを貼り合わせると共に、この 遮音シートの表面の要所に、あらかじめマスキングテープを貼りつけておき、施工現 場において、前記温水マットの裏面全体に通常の接着剤を塗布し、次に前記マスキン グテープを剥がしてここに速乾性接着剤を塗布してから温水マットを下地面に貼り付 けることにより、速乾性接着剤により先ず温水マットを下地の表面に仮固定し、続い て通常の接着の硬化を待って下地の表面に接着のみで温水マットを固定し、続いて上 記温水マットの上面に通常の接着剤を用いてフローリング床材を貼り付けて仕上げる 床暖房装置の施工法。
３．小根太を除去した温水マットの裏面全体に遮音シートを貼り合わせると共に、この 遮音シートの表面の要所に、裏型紙付の速乾性接着剤層を形成して成る床暖房用温水 マット。
４．小根太を除去した温水マットの裏面全体に遮音シートを貼り合わせると共に、この 遮音シートの表面の要所に、マスキングテープを貼り付けて成る床暖房用温水マット 。
【０００５】
【作用】
速乾性接着剤は、温水マットを下地面に接着剤で貼り付けたときに、通常の接着剤よりも先に硬化して温水マットを仮固定して通常の接着剤が固化するのを待ち、従来の釘で温水マットを先に仮固定する機能に取って替っている。そして、フローリング床材上で発生した騒音は、フローリング床材の遮音機能と温水マットの下面に貼り付けられた遮音シートによる二段階の遮音作用により遮断されて減衰し、設計時に期待された遮音効果を発揮する。
【０００６】
【発明の実施の形態】
図１は本発明を実施した床暖房装置の施工断面図であって、１は小根太を除去した温水マット、２は温水配管、７は温水マット１の下面全体に貼り付けられた遮音シート、１０は温水マット１の上面に接着剤１１により貼り付けられたフローリング床材であって、このフローリング床材１０は表面材１０ａ、不織布１０ｂ、合板１０ｃを一体化した構造の所謂遮音機能付である。
１４は温水マット１を下地８に貼り付けて恒常的に固定している通常の接着剤、１５は速乾性接着剤、図３、図４において、１６は速乾性接着剤１５の表面に貼り合わせられた裏型紙である。
【０００７】
温水マット１の裏面の遮音シート７の表面には、図３に示すようにあらかじめ裏型紙１６付の速乾性接着剤層１５が形成してある。施工に際しては、先ず下地８の表面に接着剤１４をハケを用いて塗布し、次に裏型紙１６を剥がして温水マット１を下地８の上面に貼り付ける。このようにすると、速乾性接着剤層１５が先に硬化して温水マット１は下地８面に仮固定されるので、この状態で接着剤１４が硬化するのを待つ。その上で、フローリング床材１０を温水マット１の表面に接着剤１１を用いて貼り付け、施工を終る。なお、速乾性接着剤層１５は、図３のように要所に点々と形成してもよいし、図４のように帯状に形成してもよい。上記実施例は、温水マット１にあらかじめ裏型紙１６付の速乾性接着剤層１５を形成して温水マット１を仮固定する請求項１に記載の施工方法であるが、図５（イ）（ロ）（ハ）に示すように、あらかじめ温水マット１の裏面にマスキングテープ１７を適宜貼り付けておき、この状態で通常の接着剤１４を温水マット１（遮音シート７）の裏面全体にハケ１９を用いて塗布し（イ）、次にマスキングテープ１７を剥がし（ロ）、このマスキングテープ１７を剥がした面に速乾性接着剤１８を塗布して（ハ）、温水マット１を施工するようにしてもよい。この施工方法は、請求項２に記載の発明に対応するものである。
【０００８】
【発明の効果】
本発明は以上のように、温水マットから小根太を除去し、釘を一切使用しない方式で床暖房装置を施工するため、次の効果を奏する。
ａ．騒音の伝播経路がなくなることから、温水マットやフローリング床材に施こした遮    音性能が施工によって減退することがない。
ｂ．温水マットに小根太がないことにより、足の踏み感が床全体において均一化する。
ｃ．釘打ちの手間がなくなると共に、間違って温水配管に釘を打ち込むと云ったトラブ    ルもなくなる。
ｄ．速乾性接着剤は要所に使用するだけで釘に替る仮固定の目的を達成できるため、高    価な速乾性接着剤を全体に形成する場合に比較してコスト的に有利である。
【図面の簡単な説明】
【図１】  本発明に係る床暖房装置の施工法とこの施工断面図。
【図２】  要部の断面図。
【図３】  温水マットの裏面に裏型紙付の速乾性接着剤層を形成した実施例の説明                図。
【図４】  温水マットの裏面に帯状の裏型紙付の速乾性接着剤層を形成した実施例の              説明図。
【図５】  マスキングテープと速乾性接着剤を利用する実施例の説明図。
【図６】  従来の小根太入り温水マットの説明図。
【図７】  図６に示した温水マットを用いた従来の施工例の説明図。
【符号の説明】
１  温水マット
２  温水配管
７  遮音シート
８  下地
１０  フローリング床材
１０ａ  表面材
１０ｂ  不織布
１０ｃ  合板
１１、１４  接着剤
１５  速乾性接着剤層
１６  裏型紙
１７  マスキングテープ
１８  速乾性接着剤
１９  ハケ
【図１】
0003646893.tif 000002
【図２】
0003646893.tif 000003
【図３】
0003646893.tif 000004
【図４】
0003646893.tif 000005
【図５】
0003646893.tif 000006
【図６】
0003646893.tif 000007
【図７】
0003646893.tif 000008